(57)【要約】【課題】内容物を吐出させる動作から、内容物を手に取るまでの動作をスムーズに行うことができる吐出部材及びそれを用いたエアゾール製品を提供する。【解決手段】エアゾール容器１１０に取り付けられる吐出部材であって、押圧操作によりエアゾール容器１１０から内容物を吐出させる操作部４と、内容物を吐出するノズル部３とを備え、操作部４は、ノズル部３の外周において、ノズル部３よりもエアゾール容器１１０側に押圧面４ａを有し、この押圧面４ａがノズル部３側を向いており、ノズル部３が、ノズル部３の軸方向に延びる内部通路３ａと、内部通路３ａの先端を閉じる閉止部３ｂと、内部通路３ａの側方で開口する複数の開口部３ｃを備えている。【選択図】図１
2019099230.tif 000002
【特許請求の範囲】
【請求項１】
エアゾール容器に取り付けられる吐出部材であって、
押圧操作により前記エアゾール容器から内容物を吐出させる操作部と、
内容物を吐出するノズル部とを備え、
前記操作部は、前記ノズル部の外周において、前記ノズル部よりも前記エアゾール容器側に押圧面を有し、この押圧面が前記ノズル部側を向いており、
前記ノズル部は、前記ノズル部の軸方向に延びる内部通路と、この内部通路の先端を閉じる閉止部と、前記内部通路の側方で開口する複数の開口部を備えている、
吐出部材。
【請求項２】
前記押圧面に、凹部が設けられている、請求項１記載の吐出部材。
【請求項３】
前記押圧面に、凸部が設けられている、請求項２記載の吐出部材。
【請求項４】
前記凹部と前記凸部とが、前記ノズル部を中心に周方向に向かって交互に設けられている、
請求項３記載の吐出部材。
【請求項５】
前記凹部同士及び前記凸部同士が、前記ノズル部を中心に互いに対称となる位置に設けられている、
請求項４記載の吐出部材。
【請求項６】
方向案内部を備えている、
請求項２から５のいずれかに記載の吐出部材。
【請求項７】
前記開口部を構成する開口内周面が、前記内部通路から前記開口部を通じて外部へと吐出される吐出物の吐出方向を制御する一対の側面を備えている、
請求項１記載の吐出部材。
【請求項８】
エアゾール容器と、
そのエアゾール容器に充填される発泡性内容物と、
そのエアゾール容器に設けられる請求項１から７のいずれかに記載の吐出部材とからなるエアゾール製品。
【請求項９】
手のひらがノズル部側を向くようにして、ノズル部と操作部との間に手を差し入れ、指の背および／または手の甲で押圧面を押圧して内容物を吐出させた後、手をノズル部側にスライドさせることで、吐出物を手のひら側に移動させる、請求項８記載のエアゾール製品の使用方法。
【発明の詳細な説明】
【技術分野】
【０００１】
本発明は吐出部材およびそれを用いたエアゾール製品に関する。特に、内容物を吐出させる動作から、内容物を手に取るまでの動作をスムーズに行うことができる吐出部材及びそれを用いたエアゾール製品に関する。
【背景技術】
【０００２】
特許文献１には、複数の吐出口を備えた吐出部材が開示されている。この吐出部材は、エアゾール容器に取り付けられており、押し下げることでエアゾール容器から内容物を吐出させるものである。また、エアゾール容器から供給される内容物を、各吐出口を通じて外部に吐出することで、吐出部材の上面に八重咲きの花（バラ）を模した形状を作り出すことができる。
【先行技術文献】
【特許文献】
【０００３】
【特許文献１】特開２０１６−１０９１９号公報
【発明の概要】
【発明が解決しようとする課題】
【０００４】
ところで、内容物が例えば洗顔剤や保湿剤である場合、吐出部材から内容物を手ですくう（拭う）必要がある。しかし、内容物を吐出させる動作が鉛直方向であるのに対して、内容物をすくう動作は水平方向であり、動作間に連続性が無く、必ずしも使い勝手が良いとはいえなかった。
【０００５】
そこで本発明は、内容物を吐出させる動作から、内容物を手に取るまでの動作をスムーズに行うことができる吐出部材及びそれを用いたエアゾール製品の提供を目的とする。
【課題を解決するための手段】
【０００６】
本発明の吐出部材は、エアゾール容器１１０に取り付けられる吐出部材であって、押圧操作によりエアゾール容器１１０から内容物を吐出させる操作部４、４１、４２、４３、４４と、内容物を吐出するノズル部３、３１とを備え、操作部４、４１、４２、４３、４４は、ノズル部３、３１の外周において、ノズル部３、３１よりもエアゾール容器１１０側に押圧面４ａを有し、この押圧面４ａがエアゾール容器１１０側ではなく、ノズル部３、３１側を向いており、ノズル部３、３１が、ノズル部３、３１の軸方向に延びる内部通路３ａと、内部通路３ａの先端を閉じる閉止部３ｂと、内部通路３ａの側方で開口する複数の開口部３ｃを備えていることを特徴としている。
【０００７】
押圧面４ａに、凹部４ｂが設けられていることが好ましい。また、凸部４ｃが設けられていても良い。また、凹部４ｂと凸部４ｃとが、ノズル部３、３１を中心に周方向に向かって交互に設けられていることが好ましい。さらに、凹部４ｂ、４ｂ同士及び凸部４ｃ、４ｃ同士が、ノズル部３、３１を中心に互いに対称となる位置に設けられていることが好ましい。また、方向案内部を備えていることが好ましい。
【０００８】
また、その場合、開口部３ｃを構成する開口内周面３ｅが、内部通路３ａから開口部３ｃを通じて外部へと吐出される吐出物の吐出方向を制御する一対の側面３ｅ１、３ｅ２を備えていても良い。
【０００９】
本発明のエアゾール製品は、エアゾール容器１１０と、そのエアゾール容器１１０に充填される発泡性内容物と、そのエアゾール容器１１０に設けられる上記いずれかの吐出部材とからなる。また、本発明のエアゾール製品の使用方法は、手のひらがノズル部３、３１側を向くようにして、ノズル部３、３１と操作部４、４１、４２、４３、４４との間に手を差し入れ、指の背および／または手の甲で押圧面４ａを押圧して内容物を吐出させた後、手をノズル部３、３１側にスライドさせることで、吐出物を手のひら側に移動させることを特徴としている。
【発明の効果】
【００１０】
本発明の吐出部材では、操作部が、ノズル部の外周において、ノズル部よりもエアゾール容器側に押圧面を有し、この押圧面がノズル部側を向いているため、手のひらがノズル部側を向くようにして、ノズル部と操作部との間に手を差し入れ、指の背や手の甲で押圧面を押圧して内容物を吐出させた後、手をノズル部側にスライドさせていけば、ノズル部の周囲に付着している内容物（吐出物）を手のひら側に移動させることができる。すなわち、内容物を吐出させる動作から、その後のノズル部に付着した吐出物をすくい取る（拭い取る）動作までを、吐出部材から手を離すことなく、片手で行うことが可能であり、使い勝手が良い。また、ノズル部が、ノズル部の軸方向に延びる内部通路と、内部通路の先端を閉じる閉止部と、内部通路の側方で開口する複数の開口部を備えているため、ノズル部の周囲に内容物を付着させ易い。
【００１１】
指の背や手の甲は、各指の太さの違いや関節の出っ張りなどによって凹凸状となっているが、押圧面に凹部が設けられている場合は、指の背や手の甲側の凹凸を吸収または軽減することができ、違和感無く使うことができる。凸部が設けられていれば、その効果はより顕著なものとなる。
【００１２】
凹部と凸部とが、ノズル部を中心に周方向に向かって交互に設けられていれば、どの方向から使っても、指の背や手の甲側の凹凸を吸収または軽減させ易く、違和感無く使うことができる。凹部同士及び凸部同士が、ノズル部を中心に互いに対称となる位置に設けられていれば、一層、指の背や手の甲側の凹凸を吸収または軽減させ易くなる。方向案内部を備えていれば、消費者が手を押圧面に載置する際の目安となり好ましい。また、押圧面に凹部や凸部が設けられている場合は、指の背や手の甲の凹凸の位置を押圧面の凹部や凸部に合わせ易くなり、操作し易くなる。
【００１３】
開口部内周面が吐出方向を制御する一対の側面を有していれば、吐出物は、ノズル部の周囲で旋回してソフトクリーム状に形成される。そのため、一層、ノズル部の外周に付着させることができ、また、ソフトクリーム状に成形された吐出物を、形を崩すことなく手のひらですくい取ることができる。
【図面の簡単な説明】
【００１４】
【図１】本発明のエアゾール製品を示す一部断面図である。
【図２】操作部を示す、図２Ａが正面図、図２Ｂが平面図、図２Ｃが斜視図である。
【図３】別の操作部を示す斜視図である。
【図４】図４Ａが別の吐出部材を示す部分断面図、図４Ｂがノズル部を省略した平面図、図４Ｃがノズル部及び軸部の斜視図である。
【図５】別のノズル部を示す、図５Ａが正面図、図５Ｂが断面図、図５Ｃが平面図である。
【発明を実施するための形態】
【００１５】
次に、本発明のエアゾール製品１００について、図に基づいて説明していく。本発明のエアゾール製品１００は、エアゾール容器１１０と、そのエアゾール容器１１０に充填される発泡性内容物と、そのエアゾール容器１１０に取り付けられる吐出部材１とを備えている。
【００１６】
エアゾール容器１１０は、図１に示すように、容器本体１２０と、容器本体１２０内と外部との連通、非連通を切り替えるエアゾールバルブ１３０と、エアゾールバルブ１３０を容器本体１２０の開口に取り付けるマウンティングカップ１４０からなる従来公知のものである。容器本体１２０は、円筒状の胴部１２０ａと、胴部１２０ａの上端から徐々に縮径して略ドーム状となった肩部１２０ｂと、胴部１２０ａの底を塞ぐ底部（図示しない）とを備える。また、容器本体１２０には、胴部１２０ａと肩部１２０ｂとの境界部分に、周方向に連続する溝部１２０ｃが設けられている。そして、この溝部１２０ｃに、エアゾール容器１１０の上端と吐出部材１とを囲む略ドーム状のキャップ１５０が着脱可能に取り付けられている。また、容器本体１２０の開口にマウンティングカップ１４０を取り付けることによって形成された環状の凸部１４０ａには、肩カバー１６０が装着されている。肩カバー１６０の上端部は開口しており、この開口１６０ａから、エアゾールバルブ１３０のステム１３０ａが露になっている。このステム１３０ａを吐出部材１を介して押し下げる、又は横に傾けると、エアゾール容器１１０内と外部とが連通し、ステム１３０ａから発泡性内容物が吐出部材１に供給される。なお、吐出部材１（具体的には、後述する操作部４）を押し下げて吐出操作する場合は、肩カバー１６０の開口１６０ａの内周縁から下方に延びる円筒状の案内部１６０ｂを設けることが好ましい。案内部１６０ｂによって、後述する操作部４の筒状体４ｄの外周を囲むことで、押し下げ時での操作部４の左右のぐらつきを抑えることができ、楽に押し下げられるようになる。
【００１７】
発泡性内容物は、例えば、洗顔剤、洗浄剤、入浴剤、保湿剤、クレンジング剤、日焼け止め剤、化粧水、シェービング剤、脱毛剤、制汗剤、殺菌消毒剤、害虫忌避剤などのスキンケア剤、トリートメント剤、スタイリング剤、染毛剤などのヘアケア剤などの人体用品、ホイップクリームなどの食品、消臭剤、芳香剤、虫よけ剤、殺菌剤などの家庭用品などである。但し、これら用途に限られるわけではない。
【００１８】
この発泡性内容物は、前記用途の有効成分を含む原液と、原液を発泡させる噴射剤とからなり、噴射剤としては、例えばプロパン、ブタン、ペンタンなどの炭素数が３〜５の脂肪族炭化水素、ハイドロフルオロオレフィン、ジメチルエーテルなどの液化ガス、炭酸ガス、窒素などの圧縮ガスなどが挙げられる。なかでも、泡の成形性、保形性に優れ、泡を所望の形状にし易い点から、脂肪酸石鹸などの界面活性剤や、高級アルコール、高級脂肪酸などの固形油分などを原液中に含有したものを用い、さらに噴射剤として液化ガスを用いることが好ましい。
【００１９】
吐出部材１は、ステム１３０ａに装着され、発泡性内容物および／あるいは発泡した発泡性内容物（以下、単に泡という）を吐出して所望の形状に成形し、一時的に保持するものである。この吐出部材１は、ステム１３０ａに装着される軸部２と、軸部２を介してステム１３０ａと連結されるノズル部３と、ステム１３０ａを押し下げる、又は傾けるための操作部４とを備えている。
【００２０】
軸部２は、図１及び図２に示すようにストロー状であって、軸方向の一方端部（図において下端）がステム１３０ａに装着され、他方端部（図において上端）にノズル部３が装着されている。
【００２１】
ノズル部３の外観は、図１に示すように、下から上に向かって拡径した略円錐状である。このノズル部３は、軸方向（上下方向）に延びる内部通路３ａと、内部通路３ａの先端を閉じる閉止部３ｂと、内部通路３ａの側方で開口する複数の吐出口（開口部）３ｃを備えている。内部通路３ａは、エアゾール容器１１０から供給される泡を開口部３ｃへと導くための通路である。そのため、軸方向の一方端部（図において下端）は開口している。そして、ノズル部３の下端に設けられた装着部３ｄを軸部２に挿入することで、内部通路３ａと軸部２の連通路２ａとが連通している。開口部３ｃは、ノズル部３の中心軸回りに略等間隔に４個設けられている。この開口部３ｃは、ノズル部３の軸方向に長い逆三角形状とされている。但し、逆三角形状に限らず、矩形状や楕円状など種々の形状を採用し得る。また、閉止部３ｂを別体で設け、周方向に切り込みを複数設けた筒体に閉止部３ｂを被せることで、開口部３ｃを形成するようにしても良い。このようなノズル部３は、例えば、人間の握力程度の力を受けてもほとんど変形しない硬質材料、例えば硬質の合成樹脂を用いて製造することが好ましいが、ゴムやエラストマーなど、簡単に変形するような軟質材料を用いて製造しても良い。軟質材料の場合、ノズル部３内に留まった泡を絞り出すことができる。
【００２２】
操作部４は、図２Ａに示すように、軸部２の軸方向の中間部から径外方向に向かって延設されている。そして、ノズル部３側の面（上面：エアゾール容器１１０側とは反対側の面）が、押圧操作（内容物の吐出操作）をするための押圧面４ａとなっている。すなわち、操作部４は、ノズル部３の外周において、ノズル部３よりもエアゾール容器１１０側に押圧面４ａを有している。押圧面４ａは、図２Ｂに示すように平面視略円形であって、ノズル部３（軸部２）の周りを囲んでいる。また、側面から見ると、図２Ａや図２Ｃに示すように、ノズル部３（軸部２）を中心に周方向にうねっている。うねりは、周方向に等間隔に設けられており、押圧面４ａには、所定の間隔で凹部４ｂと凸部４ｃとが交互に形成されている。図１及び図２に示す操作部４では、４５度毎に凸部４ｃと凹部４ｂとが交互に形成されている。１個の凹部４ｂと１個の凸部４ｃとで１個のうねりとした場合、４個のうねりが設けられていることになる。また、平面視、ノズル部３を中心として、ある凹部４ｂから１８０度回転した位置に凹部４ｂが位置し、ある凸部４ｃから１８０度回転した位置に凸部４ｃが位置するようになっている。すなわち、ノズル部３を中心として、凹部４ｂ、４ｂ同士および凸部４ｃ、４ｃ同士が対称となる位置に設けられている。凸部４ｃの頂点から凹部４ｂの最下点までの差（凹部４ｂと凸部４ｃの高低差）Ｈ１は、例えば３〜１５ｍｍである。押圧面４ａの裏側にあたる面（下面）からは、軸部２の下端を囲むようにして、筒状体４ｄが下方に向かって延設されている。この筒状体４ｄは、手で押圧面４ａが吐出操作された（エアゾール容器１１０側に押し込まれた）際に、肩カバー１６０の案内部１６０ｂの内周面と摺動して上下方向に作動し易くなるといったガイド機能を果たす。
【００２３】
上記構成のエアゾール製品１００は、キャップ１５０を取り外した上で、図１の一点鎖線で示すように、ノズル部３の開口部３ｃが手のひら側に位置するように、また、操作部４が手の甲側に位置するようにして、ノズル部３と操作部４との間に手を差し入れるとともに、指Ｆ、Ｆの間の付け根（例えば中指と薬指の間）に軸部２を位置させつつ、指Ｆの背と手の甲を操作部４の押圧面４ａに当接させ、適宜、指Ｆの背と手の甲で押圧面４ａを押すことで内容物を吐出させることを想定している。指Ｆの背側は、各指Ｆの太さの違いや関節等によって、自然な状態では指Ｆ、Ｆ同士の高さが異なっているが、押圧面４ａに凹部４ｂや凸部４ｃが形成されているため、指Ｆ、Ｆ同士の高さの違いを吸収または軽減することができ、指Ｆの背や手の甲であっても操作部４を押し込み易い。
【００２４】
また、本発明の吐出部材１では、操作部４を押して泡を吐出させた後、手をノズル部３の先端側に向かってスライドさせることで、ノズル部３の外周に付着している泡を手のひらで取ることができる。ノズル部３の軸方向が上を向いている場合は、下から泡をすくい上げるようにして手のひらに取ることができるため、泡の形状を崩し難い。例えば、図１に示すノズル部３の場合、エアゾール容器１１０から供給された泡が、軸部２内の連通路２ａおよびノズル部３の内部通路３ａを通ってノズル部３の軸方向に進み、閉止部３ｂによって側方に向きを変え、複数の開口部３ｃから外部に吐出される（図１の矢印参照）。この際、細長い開口部３ｃを通って外部に吐出される泡は、不規則にうねりながら吐出されることとなり、カーネーションやケイトウの花のような形態をなすが、この形状を崩すことなく、手のひら側に移動させることができる。特に、手をノズル部３の先端までスライドさせて上（ノズル部３の軸方向）に抜くようにすれば、ノズル部３によって泡が崩れる心配も少ない。また、泡を吐出する間、常に開口部３ｃの下に手を添えた状態になることから、泡がノズル部３から垂れ落ちたとしても確実に手に取ることができる。
【００２５】
次に、図１及び図２に示した操作部４とは別の操作部について説明する。図３Ａはうねりの数が３個の操作部４１、図３Ｂはうねりの数が５個の操作部４２、図３Ｃはうねりの数が６個の操作部４３を示している。このように、うねりの数を増減させても、上記実施形態のものと略同様の作用効果を奏する。なお、うねりの数は特に限定されないが、少なくとも外周側において指の幅の半分程度の幅を持った凹部４ｂが形成されるようにするのが好ましい。
【００２６】
図４は、別の吐出部材１１を示している。先の吐出部材１は、軸部２とノズル部３と操作部４とが一体となっていたが、この吐出部材１１は、図４Ａに示すように、操作部４４が、軸部２１やノズル部３とは別体となっている。また、操作部４４がヒンジ５を介して肩カバー２６０に連結されている。肩カバー２６０は、容器本体１２０の溝部１２０ｃに装着されている。また、この肩カバー２６０は、上方部が縮径することでなる段部２６０ａを備えている。なお、この段部２６０ａはキャップ１５０を肩カバー２６０に着脱可能に取り付けるためのものである。
【００２７】
図４Ａや図４Ｃに示すように、軸部２１の下端はステム装着部２１ａとなっているが、このステム装着部２１ａの上方に平面視略円形のフランジ部２１ｂが設けられている。また、フランジ部２１ｂの上面には、軸部２１の上端まで続くリブ２１ｃが２つ設けられている。リブ２１ｃ、２１ｃ同士は平面視、一直線上に並ぶようにして配置されている。このリブ２１ｃは、ノズル部３と操作部４４との間に手を差し入れるにあたって、差し入れる方向を案内する方向案内部として機能する。すなわち、押圧面４ａに手を載置しようとすれば、指と指の間にリブ２１ｃを位置させなければならないため、自ずと手の方向が決まるのである。また、フランジ部２１ｂの上面には、平面視、リブ２１ｃと略平行に半円状のピン支点２１ｄが設けられている。なお、このピン支点２１ｄは、ヒンジ５を中心に回転することで加力方向が常に変化する操作部４４からの押圧力を、鉛直力（エアゾール容器１１０に向かう力）に変換してステム１３０ａに伝達するためのものである。
【００２８】
操作部４４の上面（ノズル部３側）に位置する押圧面４ａは、図４Ｂに示すように、平面視略円形であるが、側面から見ると、図４Ａに示すように、ヒンジ５側が最も高くそこから緩やかに下った形状をなしている。また、全体として大きな凹部４ｂを形成しており、自然な状態で緩やかな凸面を形成する手の甲の形に沿うようになっている。押圧面４ａの中心には、軸部２１を貫通させるための開口４４ａが設けられている。この開口４４ａはヒンジ５に向かって延びた長円状とされている。また、開口４４ａの内周面を下方に延長するようにして、軸部２１のピン支点２１ｄを押し込むための押し込み片４４ｂが設けられている。軸部２１は、一方のリブ２１ｃがヒンジ５側に向き、他方のリブ２１ｃがヒンジ５と反対側を向くようにして、開口４４ａ内に配置されている。
【００２９】
上記構成の吐出部材１１では、手のひらを上（ノズル部３側）に向けた状態で、押圧面４ａの低い側からノズル部３と操作部４４との間に手を差し入れ、指と指の間にリブ２１ｃや軸部２１を位置させるとともに、指の背や手の甲と押圧面４ａとを当接させ、適宜、押圧面４ａを押し下げることにより、エアゾール容器１１０から内容物を吐出させることができる。なお、この吐出部材１１では、主として手の甲で押圧面４ａを押すことになるため、指の背で押す場合に比べて吐出操作が楽である。
なお、押圧面４ａは、ヒンジ５側が最も低くそこから緩やかに上がった形状にしてもよい。すなわち、図４Ａと逆の形状にしても良い。この場合、たとえば洗面台などに置いたエアゾール製品を立った状態で使用するなど、押圧面４ａに対して高い位置から操作する際に、押圧面４ａに沿って手を差し入れやすく、且つ手の甲で吐出操作しやすい。
【００３０】
図５は、図１のノズル部３とは別のノズル部を示したものである。このノズル部３１は、開口部３ｃを構成する開口内周面３ｅが、内部通路３ａから開口部３ｃを通じて外部へと吐出される吐出物の吐出方向を制御する一対の側面３ｅ１、３ｅ２を備えている。具体的には、ノズル部３１が肉厚であって、開口部３ｃの入り口（開口部３ｃと内部通路３ａとの境界）３ｆから出口（開口部３ｃとノズル部３１の外面との境界）３ｇまで続く一対の側面３ｅ１、３ｅ２によって、吐出物である泡の吐出方向を制御できる程度の長さの制御通路が形成されている。例えば、制御通路の水平方向の長さＬ１は、開口部３ｃの入り口３ｆの水平方向の幅Ｗ１よりも長い。また、一対の側面３ｅ１、３ｅ２は、内部通路３ａから外部に向けて弧を描いていており、各弧が同方向に湾曲している。換言すれば、制御通路が湾曲している。
【００３１】
上記構成のノズル部３１の場合、泡が湾曲した制御通路を通って外部に吐出されるため、ノズル部３１の軸回りに旋回しながら吐出される（図５Ｃの矢印参照）。同時に、噴射剤の勢いによって上向きにも進むため、先に吐出された泡の下方に後から吐出された泡が部分的に重なり合い、螺旋状（ソフトクリーム状）の泡が得られる。この螺旋状の泡は吐出される際には周囲に飛び散りにくく、また、ノズル部３１の周囲に付着して垂れ落ちにくいため、手のひらですくい取りやすい。
【００３２】
以上に、この発明の代表的な実施形態について説明したが、この発明は上記実施形態に限定されるものではなく、この発明の範囲内で種々変更して実施することが可能である。例えば、図１〜図３に示す吐出部材では、押圧面４ａのうねり（凹部４ｂや凸部４ｃ）が等間隔に設けられていたが、必ずしも等間隔に設ける必要は無く、不規則に設けても良い。また、凹部４ｂの幅と凸部４ｃの幅を同じにする必要も無く、凹部４ｂの幅を凸部４ｃの幅より大としたり、小としたりしても良い。凹部４ｂの溝の深さや凸部４ｃの山の高さについても、全て同じとする必要は無く、各々異ならせても良い。また、指の背の形に沿った押圧面４ａとしても良い。
【００３３】
また、図４に示す吐出部材１１の方向案内部としては、リブ２１ｃに限らず、板状や円柱状の突起であっても良い。また、窪みであっても良い。例えば、図４Ｂの一点鎖線で示すように、指の関節に位置する箇所に窪み４４ｃを設けておけば、手を差し込む方向を予め確認することができる。また、方向案内部は、図１〜図３に示す吐出部材１に適用しても良い。この場合、理想的な角度で手を差し入れることができるようになる。さらに、方向案内部を軸部２、２１ではなく、ノズル部３、３１や操作部４、４１、４２、４３、４４、押圧面４ａに設けても良い。また、図１では、エアゾール製品１００がキャップ１５０や肩カバー１６０を備えていたが、必ずしも設ける必要は無い。
【符号の説明】
【００３４】
１、１１  吐出部材
２、２１  軸部
２ａ  連通路
２１ａ  ステム装着部
２１ｂ  フランジ部
２１ｃ  リブ（方向案内部）
２１ｄ  ピン支点
３、３１  ノズル部
３ａ  内部通路
３ｂ  閉止部
３ｃ  開口部
３ｄ  装着部
３ｅ  開口内周面
３ｅ１  一方の側面
３ｅ２  他方の側面
３ｆ  開口部の入り口
３ｇ  開口部の出口
４、４１、４２、４３、４４  操作部
４ａ  押圧面
４ｂ  凹部
４ｃ  凸部
４ｄ  筒状体
４４ａ  開口
４４ｂ  押し込み片
４４ｃ  窪み
５  ヒンジ
１００  エアゾール製品
１１０  エアゾール容器
１２０  容器本体
１２０ａ  胴部
１２０ｂ  肩部
１２０ｃ  溝部
１３０  エアゾールバルブ
１３０ａ  ステム
１４０  マウンティングカップ
１４０ａ  凸部
１５０  キャップ
１６０、２６０  肩カバー
１６０ａ  開口
１６０ｂ  案内部
２６０ａ  段差
Ｆ  指
Ｈ１  凹部と凸部の高低差
Ｌ１  制御通路の水平方向の長さ
Ｗ１  開口部の入り口の水平方向の幅
【図１】
2019099230.tif 000003
【図２】
2019099230.tif 000004
【図３】
2019099230.tif 000005
【図４】
2019099230.tif 000006
【図５】
2019099230.tif 000007